【手続補正書】
【提出日】平成16年5月31日(2004.5.31)
【手続補正１】
【補正対象書類名】特許請求の範囲
【補正対象項目名】全文
【補正方法】変更
【補正の内容】
【特許請求の範囲】
【請求項１】
コピー制限情報が付加されたディジタル情報が入力される入力手段と、
前記入力されたディジタル情報を復号化する復号化手段と、
前記復号化されたディジタル情報を記録媒体に記録する記録手段と、
前記入力されたコピー制限情報に基いて前記コピー制限情報の判別処理を行う判別手段と、  
前記ディジタル情報の処理を制御する制御手段とを備え、
前記制御手段は、前記判別手段における判別処理に応じて、前記入力手段に入力されたディジタル情報を前記復号化手段で復号化して前記記録手段で記録するように制御することを特徴とするディジタル情報記録装置。
【請求項２】
コピー制限情報の付加されたディジタル情報が入力される入力手段と、
前記入力されたディジタル情報を復号化する復号化手段と、
前記入力されたディジタル情報および前記コピー制限情報を記録媒体に記録する記録手段と、
前記コピー制限情報に基いて前記コピー制限情報の判別処理を行う判別手段と、
前記ディジタル情報の処理を制御する制御手段とを備え、
前記制御手段は、前記判別処理の結果がコピー制限情報の種類が１回のみコピー許可を示すとき、入力されたディジタル情報を復号化して記録するよう制御することを特徴とするディジタル情報記録装置。
【請求項３】
コピー制限情報が付加されたディジタル情報を入力する入力手段と、
前記入力されたディジタル情報を復号化する復号化手段と、
前記入力されたディジタル情報を記録媒体に記録する記録手段と、
前記入力されたコピー制限情報に基いて前記コピー制限情報の判別処理を行う判別手段と、  
前記記録手段は、前記入力されたコピー制限情報の種類が１回のみコピー許可を示す場合は前記入力したディジタル情報を復号化し、コピー制限情報をコピー禁止に変更して記録することを特徴とするディジタル情報記録装置。
【請求項４】
コピー制限情報が付加された第１のディジタル情報を入力する入力手段と、
前記入力された第１のディジタル情報を復号化して第２のディジタル情報に変換する復号化手段と、
前記第１のディジタル情報もしくは前記第２のディジタル情報を記録媒体に記録する記録手段と、
前記入力されたコピー制限情報の種類を判別する判別手段とを備え、
前記記録手段は、前記入力されたコピー制限情報の種類が無制限にコピー許可を示す場合は前記第１のディジタル情報を記録し、１回のみコピー許可を示す場合は前記第２のディジタル情報を記録し、コピー禁止を示す場合はいずれも記録しないことを特徴とするディジタル情報記録装置。
【請求項５】
請求項１ないし４のいずれか１項に記載のディジタル情報記録装置において、
前記入力されたディジタル情報に付加されるコピー制限情報は、前記ディジタル情報がコピー禁止か、予め定められた回数のコピー許可か、コピー許可かを示すものであることを特徴とするディジタル情報記録装置。
【請求項６】
請求項５に記載のディジタル情報記録装置において、
前記入力されたディジタル情報は、前記ディジタル情報に付加されるコピー制限情報の種類により、暗号化されたディジタル情報であるか、暗号化されていないディジタル情報であるかが定められていることを特徴とするディジタル情報記録装置。
【請求項７】
請求項６に記載のディジタル情報記録装置において、
前記付加されたコピー制限情報の種類がコピー禁止か予め定められた回数のコピー許可を示すものである場合には、前記入力されたディジタル情報は暗号化されたものであり、前記コピー制限情報の種類がコピー許可を示すものである場合には、前記入力されたディジタル情報は暗号化されていないものであることを特徴とするディジタル情報記録装置。
【請求項８】
コピー制限情報が付加されたディジタル情報を入力し、
前記入力されたコピー制限情報に基いて前記コピー制限情報の判別処理を行い、
前記判別処理に応じて入力された前記ディジタル情報を復号化し、
前記判別処理に応じて前記ディジタル情報を記録媒体に記録することを特徴とするディジタル情報記録方法。
【請求項９】
コピー制限情報の付加されたディジタル情報を入力し、
前記入力されたコピー制限情報に基いて前記コピー制限情報の判別処理を行い、
前記判別処理の結果が１回のみコピー許可を示すとき、入力されたディジタル情報を復号化し、
前記ディジタル情報を記録媒体に記録することを特徴とするディジタル情報記録方法。
【請求項１０】
コピー制限情報が付加されたディジタル情報を入力し、
前記入力されたコピー制限情報に基いて前記コピー制限情報の判別処理を行い、
前記判別処理の結果が１回のみコピー許可を示す場合は入力されたディジタル情報を復号化し、
前記コピー制限情報をコピー禁止に変更して前記ディジタル情報に付加して記録媒体に記録することを特徴とするディジタル情報記録方法。
【請求項１１】
請求項８ないし１０のいずれか１項に記載のディジタル情報記録方法において、
前記入力されるディジタル情報に付加されるコピー制限情報は、前記ディジタル情報がコピー禁止か、予め定められた回数のコピー許可か、コピー許可かを示すものであることを特徴とするディジタル情報記録方法。
【請求項１２】
請求項１１に記載のディジタル情報記録方法において、
前記付加されるコピー制限情報の種類がコピー禁止か予め定められた回数のコピー許可を示すものである場合には、前記入力するディジタル情報は暗号化されたものであり、前記コピー制限情報の種類がコピー許可を示すものである場合には、前記入力するディジタル情報は暗号化されていないものであることを特徴とするディジタル情報記録方法。
【請求項１３】
ディジタル情報およびコピー制限情報を記録媒体から再生する再生手段と、
再生された前記ディジタル情報を暗号化する暗号化手段と、
前記入力されたコピー制限情報に基いて前記コピー制限情報の判別処理を行う判別手段と、
前記ディジタル情報に、前記コピー制限情報を付加して出力する出力手段と、
前記ディジタル情報の処理を制御する制御手段とを備え、
前記制御手段は、前記判別処理の結果に応じて、前記再生手段で再生されたディジタル情報を前記暗号化手段で暗号化して前記出力手段から出力するように制御することを特徴とするディジタル情報再生装置。
【請求項１４】
ディジタル情報およびコピー制限情報を記録媒体から再生する再生手段と、
再生された前記ディジタル情報を暗号化する暗号化手段と、
前記コピー制限情報の種別を判別する判別手段と、
前記ディジタル情報に、前記コピー制限情報を付加して出力する出力手段と、
前記ディジタル情報の処理を制御する制御手段とを備え、
前記制御手段は、コピー制限情報の種類が予め定められた回数のコピー許可を示すとき、再生されたディジタル情報を暗号化するよう制御することを特徴とするディジタル情報再生装置。
【請求項１５】
記録媒体からコピー制限情報が付加されたディジタル情報を再生する再生手段と、
前記再生されたディジタル情報を暗号化する暗号化手段と、
前記再生されたコピー制限情報の種類を判別する判別手段と、
前記ディジタル情報に、前記コピー制限情報を付加して出力する出力手段とを備え、
前記出力手段は、再生された前記コピー制限情報の種類がコピー禁止を示す場合は前記再生されたディジタル情報を暗号化して出力することを特徴とするディジタル情報再生装置。
【請求項１６】
記録媒体からコピー制限情報が付加された第１のディジタル情報を再生する再生手段と、
前記再生された第１のディジタル情報を暗号化して第２のディジタル情報に変換する暗号化手段と、
前記入力されたコピー制限情報に基いて前記コピー制限情報の判別処理を行う判別手段と、
前記第１のディジタル情報もしくは前記第２のディジタル情報に、前記コピー制限情報を付加して出力する出力手段とを備え、
前記出力手段は、再生された前記コピー制限情報の種類が無制限にコピー可を示す場合は前記第１のディジタル情報を出力し、予め定められた回数のコピー許可またはコピー禁止を示す場合は前記第２のディジタル情報を出力することを特徴とするディジタル情報再生装置。
【請求項１７】
請求項１３ないし１６のいずれか１項に記載のディジタル情報再生装置において、
前記記録媒体から再生される前記コピー制限情報は、前記ディジタル情報がコピー禁止か、予め定められた回数のコピー許可か、コピー許可かを示すものであることを特徴とするディジタル情報再生装置。
【請求項１８】
ディジタル情報およびコピー制限情報を記録媒体から再生し、
前記再生されたコピー制限情報に基いて前記コピー制限情報の判別処理を行い、
前記判別処理の結果に応じて再生された前記ディジタル情報を暗号化し、
暗号化された前記ディジタル情報に前記コピー制限情報を付加して出力することを特徴とするディジタル情報再生方法。
【請求項１９】
ディジタル情報およびコピー制限情報を記録媒体から再生し、
前記入力されたコピー制限情報に基いて前記コピー制限情報の判別処理を行い、
前記判別処理の結果が予め定められた回数のコピー許可を示す場合は前記再生されたディジタル情報を暗号化し、
暗号化された前記ディジタル情報に前記コピー情報を付加して出力することを特徴とするディジタル情報再生方法。
【請求項２０】
ディジタル情報およびコピー制限情報を記録媒体から再生し、
前記入力されたコピー制限情報に基いて前記コピー制限情報の判別処理を行い、
再生された前記コピー制限情報の種類がコピー禁止を示す場合は前記再生されたディジタル情報を暗号化し、
暗号化された前記ディジタル情報に前記コピー情報を付加して出力することを特徴とするディジタル情報再生方法。
【請求項２１】
請求項１８ないし２０のいずれか１項に記載のディジタル情報再生方法において、
前記記録媒体から再生される前記コピー制限情報は、前記ディジタル情報がコピー禁止か、予め定められた回数のコピー許可か、コピー許可かを示すものであることを特徴とするディジタル情報再生方法。
【手続補正２】
【補正対象書類名】明細書
【補正対象項目名】発明の名称
【補正方法】変更
【補正の内容】
【発明の名称】ディジタル情報記録装置、再生装置、記録方法及び再生方法